(57)【要約】      （修正有）【課題】自動車等がバリケードに衝突した際の衝撃による反動でパイプがバリケードスタンドから突出し、自動車等に甚大な損傷を与える危険性を低くするバリケード構造を提供する。【解決手段】パイプ本体を渡してなるバリケード用のバリケードスタンド０６００において、パイプ本体支持部０６０３，０６０４を、パイプ本体をパイプ軸線方向で受けて支持するバリケードスタンドの構造とした。【選択図】図６
2014088684.tif 000002
【特許請求の範囲】
【請求項１】
パイプ本体を渡してなるバリケード用のバリケードスタンドであって、
パイプ本体をパイプ軸線方向で受けて支持するパイプ本体支持部を有するバリケードスタンド。
【請求項２】
地面に接地するための接地脚と、
前記パイプ本体支持部を接地脚上に支持する支持腕と、を有し、
支持腕はパイプ本体軸線上に角がないように湾曲して形成されている
請求項１に記載のバリケードスタンド。
【請求項３】
前記接地脚を前記支持腕に対して接地面内回動自在に接続する回動節を有する請求項２に記載のバリケードスタンド。
【請求項４】
請求項１から３のいずれか一に記載のバリケードスタンドにパイプ本体を渡してなるバリケード。
【発明の詳細な説明】
【技術分野】
【０００１】
本発明は、パイプ本体をパイプ軸線方向で受けて支持してバリケードを構成するバリケードスタンドに関する。
【背景技術】
【０００２】
単管と称される金属製のパイプをスタンドの間に掛け渡して支持することで構成されるバリケードは、組立が容易で使い勝手が良いことから工事現場等で数多く用いられている。
【先行技術文献】
【特許文献】
【０００３】
【特許文献１】特開平１０−６０８４４号公報
【発明の概要】
【発明が解決しようとする課題】
【０００４】
特許文献１に開示されているような従来のバリケードには安全面で問題がある。図１２は、従来のバリケードの概念図である。バリケードは、一対のバリケードスタンド（１２０１、１２０２）の間に２本のパイプ本体（１２０３、１２０４）が渡され、それらのパイプ本体をバリケードスタンドに設けられる支持具（１２０５、１２０６、１２０７、１２０８）により支持することで立設される。
【０００５】
図１３（ａ）は、パイプ本体がバリケードスタンドに支持される様子を示す概念図である。バリケードスタンド（１３０１）には支持具としてクランプ（１３０２）が設けられている。このクランプは、Ｃ字型の金具にパイプ本体を挟んでボルトとナット（１３０３）で締め付けて支持するものである。図１３（ｂ）は、図１３（ａ）を、視線方向（１３０５）から示すとともに、パイプ本体が支持されている状態を示すものである。図示するように、バリケードを組立てる際は、パイプ本体（１３０４）の端部をクランプ（１３０２）で支持することが一般的である。
【０００６】
このようなバリケードスタンドに対して衝撃が加えられた場合、パイプ本体がバリケードスタンドから突出してしまうことがある。例えば、複数車線の道路の一部の車線において通交を規制して工事等を行う場合に、バリケードは車両の進行方向と概ね平行に列ねて設置される。そこで、運転を誤ってバリケードスタンドに衝突してしまうことがある。
【０００７】
図１４（ａ）は、このような場合に車両の衝突によりバリケードスタンドに対して衝撃が加えられる様子を示すものである。パイプ本体（１４０２）は、その端部がバリケードスタンド（１４０１）に備えられるクランプ（１４０３）に支持されている。このバリケードスタンドに自動車がその先端から衝突した場合、バリケードスタンドに対して矢印方向（１４０４）に衝撃が加えられることになる。この衝撃により、図１４（ｂ）に示すように、パイプ本体（１４０２）は、クランプからずれてバリケードスタンドから突出してしまう（１４０５）。パイプ本体は金属製であることが多く、また、その外径は５０ｍｍ程度であることが多い。この細く硬いパイプ本体がバリケードスタンドから突出すると、自動車のボディは比較的簡単にパイプ本体に貫かれてしまう。ボディを貫いたパイプ本体は、車両のみならず搭乗者に対して甚大な損傷を与えかねない。
【０００８】
このように、従来のバリケードにおいては、衝撃によりパイプ本体がバリケードスタンドから突出してしまうことについて対策が施されておらず、自動車等がパイプ本体を渡してなるバリケードに衝突した際の危険性が大きな問題として存在する。
【課題を解決するための手段】
【０００９】
そこで、上記課題を解決するために本発明において、以下のバリケードスタンドなどを提供する。すなわち、第一の発明としては、パイプ本体を渡してなるバリケード用のバリケードスタンドであって、パイプ本体をパイプ軸線方向で受けて支持するパイプ本体支持部を有するバリケードスタンドを提供する。
【００１０】
第二の発明としては、地面に接地するための接地脚と、前記パイプ本体支持部を接地脚上に支持する支持腕と、を有し、支持腕はパイプ本体軸線上に角がないように湾曲して形成されている第一の発明に記載のバリケードスタンドを提供する。
【００１１】
第三の発明としては、前記接地脚を前記支持腕に対して接地面内回動自在に接続する回動節を有する第二の発明に記載のバリケードスタンドを提供する。
【００１２】
第四の発明としては、第一の発明から第三の発明のいずれか一に記載のバリケードスタンドにパイプ本体を渡してなるバリケード。
【発明の効果】
【００１３】
本発明により、衝撃を受けた反動によりパイプが突出することのないバリケードスタンドを提供することができる。
【図面の簡単な説明】
【００１４】
【図１】実施形態１のバリケードスタンドの一例を示す概念図
【図２】実施形態１のバリケードスタンドを用いたバリケードを示す概念図
【図３】パイプ本体支持部とパイプ本体とを水平視にて示した概念図
【図４】パイプ本体支持部がパイプ本体を支持する好適な具体例を示す概念図
【図５】パイプ本体支持部の他の例を示す概念図
【図６】実施形態２のバリケードスタンドの一例を示す概念図
【図７】実施形態２のバリケードスタンドを水平視にて示した概念図
【図８】実施形態２のバリケードスタンドを用いたバリケードを示す概念図
【図９】実施形態２のバリケードスタンドの他の例を示す概念図
【図１０】実施形態３のバリケードスタンドの一例を示す概念図
【図１１】実施形態３のバリケードスタンドを積み重ねた態様を示す概念図
【図１２】従来のバリケードの概念図
【図１３】従来のバリケードの概念図
【図１４】従来のバリケードが衝撃を受けたときの様子を示す概念図
【発明を実施するための形態】
【００１５】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１６】
実施形態１は、主に請求項１、４などに関する。実施形態２は、主に請求項２、４などに関する。実施形態３は、主に請求項３、４などに関する。
＜実施形態１＞
＜実施形態１  概要＞
【００１７】
本実施形態に係るバリケードスタンドは、パイプ本体をパイプ軸線方向で受けて支持する。これにより、パイプ本体がバリケードスタンドから突出することを防止することができる。
＜実施形態１  構成＞
【００１８】
本実施形態に係るバリケードスタンドは、パイプ本体を渡してなるバリケード用のバリケードスタンドであって、パイプ本体をパイプ軸線方向で受けて支持するパイプ本体支持部を有する。
【００１９】
図１は、本実施形態のバリケードスタンドの一例を示した概念図である。このバリケードスタンド（０１００）は、２本のパイプを渡してバリケードを構成し得るもので、それぞれのパイプ本体をパイプ軸線方向で受けて支持するパイプ本体支持部（０１０２、０１０３）を有する。なお、図示したバリケードスタンドは、後述するが、一の方向でのみパイプ本体を支持するものではなく、相反する二の方向でパイプ本体を支持し得るように構成されている。
【００２０】
また、図２は、図１に示したバリケードスタンドにパイプ本体を渡してなるバリケードを示す概念図である。図示するように、２本のパイプ本体（０２０３、０２０４）を、２つのバリケードスタンド（０２０１、０２０２）に渡してバリケードが構成される。なお、バリケードスタンドに渡されるパイプ本体を２本として図示したのは、従来より広く使用されているバリケードが２本のパイプ本体を渡してなるものであるからであり、本実施形態のバリケードスタンドは、渡されるパイプ本体の本数を２本に限定するものではなく、例えば、１本であってもよいし、あるいは、３本などであってもよい。
【００２１】
バリケードスタンドは、金属、樹脂などにより構成し得る。後述するパイプ本体支持部は、パイプ本体を支持するものなのでとくに強度に優れる鋼などを用いることが好ましい。
【００２２】
「パイプ本体をパイプ軸線方向で受けて支持する」とは、パイプ本体をパイプ軸線方向で「受けとめて」支持するという意味合いである。したがって、パイプ本体支持部の一部又は全部が支持するパイプ本体軸線上に位置し、パイプ本体の端縁の一部又は全部を受ける面の法線方向がパイプ本体軸線方向と一致するように構成される。
【００２３】
図３は、パイプ本体支持部とパイプ本体とを水平視にて示した概念図である。バリケードスタンドのパイプ本体支持部（０３０１）は、支持するパイプ本体（０３０２）のパイプ軸線（０３０３）上に位置する。パイプ本体支持部がパイプ本体の軸線方向上に位置してパイプ本体を受けとめた状態で支持することにより、図１４で示した従来のバリケードスタンドと異なり、パイプ本体がバリケードスタンドを貫き突出してしまうことを防止することが可能となる。
【００２４】
図４は、パイプ本体支持部がパイプ本体を支持する好適な具体例を示す図である。ここでは、ボンジョイント（Ｃ型ジョイント）（０４０３）と称される汎用の継手を用いてパイプ本体を支持する態様を示す。まず、バリケードを構成するパイプ本体（０４０２）は、いわゆる「単管パイプ」と称される金属製のパイプを想定したものである。この単管パイプは、建設現場や工事現場などにおいて足場を組んだり仮囲いを組んだりするために汎用的に用いられる資材である。広く使われている単管パイプの外径は、４８．６ｍｍでパイプ厚が２．４ｍｍである。
【００２５】
パイプ本体支持部（０４０１）は、パイプ状に形成しボンジョイントのほぞ部（０４０４、０４０５）を挿脱可能な内径を備える。ボンジョイントはパイプ本体の継手であり、パイプ本体の内側に挿入されるほぞ部を備える。ボンジョイント本体に備わるねじ（０４０６）を回すにしたがいほぞ部が広がり、パイプ本体の内側とパイプ本体支持部の内側にほぞ部が圧着される。図４（ａ）は、パイプ本体支持部、パイプ本体、ボンジョイントを個別に示した概念図であり、図４（ｂ）は、ボンジョイントを用いてパイプ本体支持部がパイプ本体を支持している状態を示した概念図である。このようにパイプ本体をパイプ本体軸線方向で受けて支持することにより、パイプ本体がバリケードスタンドを貫き突出してしまうことを防止することができる。また、クランプなどの突起物がないため歩行者や作業者等に対して安全である。
【００２６】
図４（ｃ）は、パイプ本体支持部（０４０１）が、さらに反対側から渡されるパイプ本体（０４０７）をボンジョイント（０４０８）を用いて支持する態様を示す概念図である。このようにパイプ本体を支持することで、バリケードを延伸させることができる。もちろん一の方向でのみパイプ本体を支持するようにパイプ本体支持部を構成してもよい。
【００２７】
図５は、パイプ本体支持部（０５０１）が、ボンジョイントと同様の継手（０５０２）を一体的に備えた場合を示している。本実施形態のパイプ本体支持部は、図５に示すように自身がボンジョイントなどの継手を有してもよいし、図４に示すように継手を介してパイプ本体を支持するように構成してもよい。また、ピン付きの単管パイプをパイプ本体として用いる場合には、継手として直線ジョイントを用いてもよい。
＜実施形態１  効果＞
【００２８】
本実施形態のバリケードスタンドにより、パイプ本体がバリケードスタンドから突出することを防止することができる。
＜実施形態２＞
＜実施形態２  概要＞
【００２９】
本実施形態のバリケードスタンドは、パイプ本体支持部を支持する支持腕を、パイプ本体軸線上に角がないように湾曲して形成することを特徴とする。このように形成することにより歩行者や作業者などがバリケードスタンドに接触した場合でも怪我をしにくくなる。
＜実施形態２  構成＞
【００３０】
本実施形態のバリケードスタンドは、実施形態１を基本とし、地面に接地するための接地脚と前記パイプ本体支持部を接地脚上に支持する支持腕とを有し、支持腕はパイプ本体軸線上に角がないように湾曲して形成されている。
【００３１】
図６は、本実施形態のバリケードスタンドの一例を示す概念図である。バリケードスタンド（０６００）は、地面に接地するための接地脚（０６０１）を有し、２つのパイプ本体支持部（０６０３、０６０４）を有する。そして、２つのパイプ本体支持部を繋ぐとともに、それらのパイプ本体支持部を接地脚上に支持する支持腕（０６０２）を有する。支持腕は、図示するように、２つのパイプ本体支持部を繋いだ形状が、水平方向視にて角のないコ字状にとなるようパイプ本体軸線上で湾曲して形成されている。
【００３２】
図７は、図６のバリケードスタンドを水平視にて示した概念図である。バリケードスタンド（０７００）の上方に位置するパイプ本体支持部（０７０３）は、パイプ本体（０７０５）をパイプ本体の軸線方向で受けて支持する。パイプ本体支持部を接地脚（０７０１）上に支持する支持腕（０７０２）は、パイプ本体軸線上（０７０６）に角がないように湾曲して形成される（０７０４）。バリケードスタンドの下方に位置するパイプ本体支持部と繋がる支持腕（０７０７）についても、同様にパイプ本体軸線上（０７０８）に角がないように湾曲して形成される。
【００３３】
さらにパイプ本体支持部及び支持腕をパイプ本体と略同径のパイプ状部材で形成することにより、それら各部の接続箇所にて凹凸や段差などをなくし一体的に形成することができる。一体的に形成することにより、突起などのない滑らかな面でバリケードスタンドを構成することができ、歩行者や作業者がバリケードスタンドと接触した場合でもより怪我をしにくくなる。
【００３４】
図８は、本実施形態のバリケードスタンドに２本のパイプ本体を渡してなるバリケードを示す概念図である。図示するように、角や凹凸のない滑らかなバリケードを構成することができる。このバリケードは、歩行者などに対する安全性に優れるだけでなく、従来のバリケードに対して美観の面でも優れるものであるといえる。
【００３５】
バリケードスタンドに渡されるパイプ本体は２本に限られない。例えば、図９（ａ）に示すように、１本のパイプ本体を渡すバリケードスタンド（０９０１）であってもよいし、３本のパイプ本体を渡すバリケードスタンド（０９０２）であってもよい。
＜実施形態２  効果＞
【００３６】
本実施形態により、従来のバリケードよりも角がないように形成されるため安全性に優れるバリケードスタンドを提供することができる。
＜実施形態３＞
＜実施形態３  概要＞
【００３７】
本実施形態のバリケードスタンドは、支持腕と接地脚とを回動自在に接続することにより、バリケードスタンドの姿勢を変化させることができる。
＜実施形態３  構成＞
【００３８】
本実施形態のバリケードスタンドは、実施形態１又は２を基本とし、接地脚を支持腕に対して接地面内回動自在に接続する回動節を有する。
【００３９】
図１０は、本実施形態のバリケードスタンドの概念図である。本図において、バリケードスタンド（１００１）の接地脚（１００２）は、その中心部分の円筒部材にて支持腕（１００３）から連なる垂直方向の部材と嵌合して接続されている。このように構成することで、接地脚は支持腕から連なる垂直方向の部材を軸として接地面において回動することができる。上記垂直方向の部材及び円筒部材などのように、支持腕に対して接地脚を接地面内で回動自在とするための部材や構成を回動節という。
【００４０】
図１０（ａ）は、パイプ本体軸線方向に対して接地脚の長手方向が直交する姿勢のバリケードスタンドを示している。パイプ本体を渡してバリケードを構成するときの姿勢である。一方、図１０（ｂ）は、パイプ本体軸線方向と接地脚の長手方向とをそろえた姿勢である。係る姿勢とすることで、バリケードスタンドを積み重ねたりすることが容易に行える。
【００４１】
図１１は、図１０（ｂ）に示した姿勢のバリケードスタンドを積み重ねた態様を示す概念図である。図示するようにバリケードスタンド（１１０１）の姿勢をそろえて積み重ねることができ、保管や運搬時の省スペース化に資する。また、支持腕及び／又は接地脚に同じ姿勢で積み重ねたとときに位置合わせとずれ防止のための嵌合凸部（１１０２，１１０３，１１０４）と、この突起を受けるための嵌合凹部を適所に設けることも好ましい。また、支持腕に反射材（１１０５）を設けることで視認性を向上させることも好ましい。
【００４２】
また、パイプ本体を渡してバリケードとして用いるときに、接地面に凹凸があったりスペースに限りがあったりしても、パイプ本体の位置を変えることなく接地脚の向き（姿勢）を変えることができるため接地の際の融通がきく。
＜実施形態３  効果＞
【００４３】
本実施形態により、バリケードスタンドの姿勢を臨機応変に変化させることができる。
【符号の説明】
【００４４】
０６００  バリケードスタンド
０６０１  接地脚
０６０２  支持腕
０６０３  パイプ本体支持部
０６０４  パイプ本体支持部
【図１】
2014088684.tif 000003
【図２】
2014088684.tif 000004
【図３】
2014088684.tif 000005
【図４】
2014088684.tif 000006
【図５】
2014088684.tif 000007
【図６】
2014088684.tif 000008
【図７】
2014088684.tif 000009
【図８】
2014088684.tif 000010
【図９】
2014088684.tif 000011
【図１０】
2014088684.tif 000012
【図１１】
2014088684.tif 000013
【図１２】
2014088684.tif 000014
【図１３】
2014088684.tif 000015
【図１４】
2014088684.tif 000016